(57)【要約】【課題】  安全性がより向上する安全長靴を提供する。【解決手段】  踏み抜き防止板３０は、鋼板よりなる第１の保護板３１と、第１の保護板３１の上面の全面に重ねられる、積層繊維よりなる第２の保護板３２とから構成される。尚、第１の保護板３１及び第２の保護板３２はいずれも、所定の突き刺し抵抗の性能を有する。第１の保護板３１は、靴内部からの破損防止のために安全長靴１１の靴型よりも小さい大きさに設定されている。一方、第２の保護板３２は安全長靴１１の靴型とほぼ同一の大きさに設定されている。よって、踏み抜き防止板３０の安全長靴１１への設置時には、第２の保護板３２が、第１の保護板３１による踏み抜き防止範囲の外縁から靴底の端までの範囲も覆っており、図の二点鎖線の矢印で示すように、第１の保護板３１で覆えない範囲における踏み抜きも防止することができる。【選択図】  図４
2013143973.tif 000002
【特許請求の範囲】
【請求項１】
踏み抜き防止板を備えた安全長靴において、
前記踏み抜き防止板が、鋼板よりなる第１の保護板と、前記第１の保護板の全面に重なるように用いられ、その平面視における投影面積が前記第１の保護板の平面視における投影面積より大きく設定された、積層繊維よりなる第２の保護板とから構成されることを特徴とする、安全長靴。
【請求項２】
前記第２の保護板は、前記第１の保護板の上面に設置されると共に中底を兼ねる、請求項１記載の安全長靴。
【請求項３】
前記第２の保護板は、土踏まず部分まで覆う大きさに設定される、請求項２記載の安全長靴。
【請求項４】
前記第１の保護板と、前記第２の保護板とは、加硫ゴムを介して一体的に接着される、請求項１から請求項３のいずれかに記載の安全長靴。
【請求項５】
足部及び胴部を形成する外装ゴムと裏布との間の少なくとも一部にアラミド繊維製不織布よりなる補強布が埋設される、請求項１から請求項４のいずれかに記載の安全長靴。
【発明の詳細な説明】
【技術分野】
【０００１】
この発明は安全長靴に関し、特に踏み抜き防止板を備える安全長靴に関するものである。
【背景技術】
【０００２】
図８は、例えば消防長靴として用いられる従来の編み上げ式の安全長靴の外観形状を示した斜視図であり、図９は、図８で示したＩＸ−ＩＸラインの断面構造図であり、図１０は、踏み抜き防止板と靴型との関係を示す平面模式図であり、図１１は、図１０で示したＸＩ−ＸＩラインの断面図である。
【０００３】
まず、図８を参照して、安全長靴１１は使用する人の足を保護する足部１３と脛を保護する胴部１５とから構成されている。
【０００４】
次に、図８及び図９を参照して、その断面構造は、足部１３の底面側に対しては、裏底１７の上面に中芯６８及び当中底６９が形成され、更にその上に踏み抜き防止板７０を介して中底７２が形成されている。中底７２の上面には靴の内面となる裏布６６が全面に布設されている。
【０００５】
一方、足部１３の側面側に対しては、裏底１７にその一部が接するように形成された縁巻ゴム１８と、縁巻ゴム１８の内面側に外装ゴム６１及び下胴ゴム６２が形成され、更にその内面に突き刺し及び切創防止用の２枚のケブラーフェルト６４ａ及び６４ｂよりなる補強布２３が埋設されている。尚、このケブラーフェルト６４ａ及び６４ｂはパラ系アラミド繊維等の強度の高い繊維から構成されている。そして、補強布２３の内面側にはカブトゴム６５が形成され、更にその内面は靴の内部に面する裏布６６が底面側から全面に敷設されている。尚、補強布２３は安全長靴１１の甲部２１及び踵部２２の全面に形成されており、使用者の甲や踵を保護している。又、外装ゴム１８、カブトゴム６５及び裏布６６は踵部２２の上方に筒状に延び、胴部１５を形成してもいる。
【０００６】
次に、図１０及び図１１を参照して、踏み抜き防止板７０は、厚さ０．４ｍｍの鋼板よりなる保護板７１を被覆ゴム７３ａ及び７３ｂで覆ったものよりなり、ＪＩＳ  Ｔ  ８１０１に規定の試験方法において１１００Ｎ以上の突き刺し抵抗の性能を有する。即ち、保護板７１は図９で示した足部１３の側面側の各構成要素を形成するゴム又は布よりも強度及び硬度が高い。すると、保護板７１の端部が足部１３の内面に接触した状態でその接触部分に何らかの力がかかると、保護板７１が足部１３の側面側を損傷してしまう虞がある。そこで、保護板７１の端部が足部１３の内面に接触しないように、踏み抜き防止板７０の大きさは図１０の二点鎖線で示す安全長靴の靴型よりも小さい大きさに設定されている。
【０００７】
尚、踏み抜き防止板７０は、被覆ゴム７３ａ及び７３ｂの表面に塗布される図示しない接着剤を介して、図９に示す当中底６９及び中底７２に接着する。
【発明の概要】
【発明が解決しようとする課題】
【０００８】
上記のような従来の安全長靴では、踏み抜き防止板では覆えない範囲が生じる。よって、踏み抜き防止板で覆うことのできる範囲においては底面側からの踏み抜きを防止できるが、図９の二点鎖線の矢印で示すように踏み抜き防止板では覆えない範囲においては、補強布のみで踏み抜きを防止するが、補強布を貫通すると踏み抜きを防止できない虞が生じる。
【０００９】
この発明は、上記のような課題を解決するためになされたもので、安全性がより向上する安全長靴を提供することを目的とする。
【課題を解決するための手段】
【００１０】
上記の目的を達成するために、請求項１記載の発明は、踏み抜き防止板を備えた安全長靴において、踏み抜き防止板が、鋼板よりなる第１の保護板と、第１の保護板の全面に重なるように用いられ、その平面視における投影面積が第１の保護板の平面視における投影面積より大きく設定された、積層繊維よりなる第２の保護板とから構成されることを特徴とするものである。
【００１１】
このように構成すると、第１の保護板のみの場合よりも踏み抜き防止範囲が拡大する。
【００１２】
請求項２記載の発明は、請求項１記載の発明の構成において、第２の保護板は、第１の保護板の上面に設置されると共に中底を兼ねるものである。
【００１３】
このように構成すると、中底として靴型の大きさ及び曲面に沿わせることが可能となる。
【００１４】
請求項３記載の発明は、請求項２記載の発明の構成において、第２の保護板は、土踏まず部分まで覆う大きさに設定されるものである。
【００１５】
このように構成すると、土踏まず部分の曲面に沿って設置が可能となる。
【００１６】
請求項４記載の発明は、請求項１から請求項３のいずれかに記載の発明の構成において、第１の保護板と、第２の保護板とは、加硫ゴムを介して一体的に接着されるものである。
【００１７】
このように構成すると、第１の保護板と第２の保護板との接着状態が強固となる。
【００１８】
請求項５記載の発明は、請求項１から請求項４のいずれかに記載の発明の構成において、足部及び胴部を形成する外装ゴムと裏布との間の少なくとも一部にアラミド繊維製不織布よりなる補強布が埋設されるものである。
【００１９】
このように構成すると、補強布の埋設部分において生じる切創が長靴内部にまで届きにくい。
【発明の効果】
【００２０】
以上説明したように、請求項１記載の発明は、第１の保護板のみの場合よりも踏み抜き防止範囲が拡大するので、安全性がより向上する。
【００２１】
請求項２記載の発明は、請求項１記載の発明の効果に加えて、中底として靴型の大きさ及び曲面に沿わせることが可能となるので、効率的な配置となる。
【００２２】
請求項３記載の発明は、請求項２記載の発明の構成に加えて、土踏まず部分の曲面に沿って設置が可能となるので、第１の保護板では覆えない部分の保護が拡大する。
【００２３】
請求項４記載の発明は、請求項１から請求項３のいずれかに記載の発明の構成に加えて、第１の保護板と第２の保護板との接着状態が強固となるので、ずれる虞が無く、耐久性が向上する。
【００２４】
請求項５記載の発明は、請求項１から請求項４のいずれかに記載の発明の構成に加えて、補強布の埋設部分において生じる切創が長靴内部にまで届きにくいので、耐切創性が向上する。
【図面の簡単な説明】
【００２５】
【図１】この発明の第１の実施の形態による安全長靴に備わる踏み抜き防止板の平面模式図である。
【図２】図１で示したＩＩ−ＩＩラインの断面図である。
【図３】図１で示した踏み抜き防止板と靴型との関係を示す平面模式図である。
【図４】図１で示した踏み抜き防止板を備えた安全長靴の足部の断面図であって、従来の安全長靴の図９に対応する図である。
【図５】この発明の第２の実施の形態による安全長靴に備わる踏み抜き防止板の平面模式図である。
【図６】図５で示した土踏まず保護部を立ち上げた状態における踏み抜き防止板の平面模式図である。
【図７】図５で示した踏み抜き防止板を備えた安全長靴の足部の断面図であって、従来の安全長靴の図９に対応する図である。
【図８】例えば消防長靴として用いられる従来の編み上げ式の安全長靴の外観形状を示した斜視図である。
【図９】図８で示したＩＸ−ＩＸラインの断面構造図である。
【図１０】踏み抜き防止板と靴型との関係を示す平面模式図である。
【図１１】図１０で示したＸＩ−ＸＩラインの断面図である。
【発明を実施するための形態】
【００２６】
図１は、この発明の第１の実施の形態による安全長靴に備わる踏み抜き防止板の平面模式図であり、図２は、図１で示したＩＩ−ＩＩラインの断面図であり、図３は、図１で示した踏み抜き防止板と靴型との関係を示す平面模式図であり、図４は、図１で示した踏み抜き防止板を備えた安全長靴の足部の断面図であって、従来の安全長靴の図９に対応する図である。
【００２７】
まず、図１及び図４を参照して、図８及び図９に示す従来の安全長靴１１における踏み抜き防止板７０が、踏み抜き防止板３０に置き換わっている。又、外装ゴム６１と裏布６６との間に埋設されたアラミド繊維製不織布５４ａ、５４ｂよりなる補強布５３は、図８に示す足部１３のみならず、図８に示す胴部１５にまで渡って外装ゴム６１と裏布６６との間に埋設されている。このように構成すると、補強布５３の埋設部分において生じる切創が長靴内部にまで届きにくいので、安全長靴１１の対切創性が向上する。尚、他の安全長靴１１の構成要素は従来の安全長靴１１によるものと同一であるため、ここでの説明は繰り返さない。
【００２８】
次に、図１及び図２を参照して、踏み抜き防止板３０は、厚さ０．４ｍｍの鋼板よりなる第１の保護板３１と、第１の保護板３１の全面に重なるＡＲＭＯＲＴＥＸ（ＡＲＭＯＲＴＥＸは登録商標です）よりなる第２の保護板３２とから構成される。ＡＲＭＯＲＴＥＸは、ポリエステル繊維を複数枚貼り合わせた積層繊維よりなる。尚、第１の保護板３１及び第２の保護板３２はいずれも、ＪＩＳ  Ｔ  ８１０１に規定の試験方法において１１００Ｎ以上の突き刺し抵抗（耐踏み抜き性）の性能を有する。
【００２９】
ここで、図３を参照し、鋼板よりなる第１の保護板３１は、図１０にて示した踏み抜き防止板７０と同様の理由により、図の二点鎖線で示す安全長靴の靴型よりも小さい大きさに設定されている。一方、第２の保護板３２は、強度は高いが、第１の保護板３１に比べて硬度が低いため安全長靴の靴型とほぼ同一の大きさ（図示の関係上、図３では第２の保護板３２の外縁は靴型の外縁よりも小さく示している）に設定されている。よって、第２の保護板３２は平面視における投影面積が第１の保護板３１の平面視における投影面積より大きい。このように構成すると、第１の保護板３１のみの場合よりも踏み抜き防止範囲が拡大するので、安全性がより向上する。
【００３０】
再び図２を参照して、第１の保護板３１は、その全面が加硫ゴム３３で覆われている。第２の保護板３２は、第１の保護板３１の加硫ゴム３３の一方面に塗布される図示しない接着剤を介して第１の保護板３１と一体的に接着される。このように構成すると、第１の保護板３１と第２の保護板３２との接着状態が強固となるので、ずれる虞が無く、耐久性が向上する。
【００３１】
尚、第２の保護板３２はある程度の可撓性も有していることから、第１の保護板３１の上面に設置され、図８及び図９に示す従来の安全長靴１１の中底７２を兼ねる。このように構成すると、中底７２として靴型の大きさ及び曲面に沿わせることが可能となるので、効率的な配置となる。
【００３２】
踏み抜き防止板３０の設置状態については図２及び図４を参照して、加硫ゴム３３の他方面に図示しない接着剤を塗布し、この接着剤を介して図９に示す当中底６９に踏み抜き防止板３０を接着する。又、第２の保護板３２の上面を覆う被覆ゴム３４の表面にも図示しない接着剤を塗布し、これを介して裏布６６にも踏み抜き防止板３０を接着する。
【００３３】
ここで、上述したように、第２の保護板３２は、安全長靴１１の靴型とほぼ同一の大きさに設定されており、靴底の大きさ及び曲面に沿わせることが可能なものである。よって、第２の保護板３２は、第１の保護板３１による踏み抜き防止範囲の外縁から靴底の端までの範囲も覆う。すると第２の保護板３２は、上述したように１１００Ｎ以上の突き刺し抵抗の性能を有するものであるから、図４の二点鎖線の矢印で示すように、第１の保護板３１で覆えない範囲における踏み抜きも防止することができる。
【００３４】
図５は、この発明の第２の実施の形態による安全長靴に備わる踏み抜き防止板の平面模式図であり、図６は、図５で示した土踏まず保護部を立ち上げた状態における踏み抜き防止板の平面模式図であり、図７は、図５で示した踏み抜き防止板を備えた安全長靴の足部の断面図であって、従来の安全長靴の図９に対応する図である。
【００３５】
まず、図５及び図７を参照して、図８及び図９に示す従来の安全長靴１１における踏み抜き防止板７０が踏み抜き防止板４０に置き換わっている。尚、他の安全長靴１１の構成要素は従来の安全長靴１１によるものと同一であるため、ここでの説明は繰り返さない。
【００３６】
次に、図５を参照して、踏み抜き防止板４０は、鋼板よりなる第１の保護板４１と、第１の保護板４１の上面の全面に重なるＡＲＭＯＲＴＥＸよりなる第２の保護板４２とから構成される。第２の保護板４２は平面視においてほぼ足型状に形成されているが、土踏まずにあたる部分が外側に拡張されている。即ち、第２の保護板４２は土踏まず部分まで覆うことができる大きさに設定されている。この外側に拡張されている部分を土踏まず保護部４６とする。尚、第１の保護板４１及び第２の保護板４２はいずれも、ＪＩＳ  Ｔ  ８１０１に規定の試験方法において１１００Ｎ以上の突き刺し抵抗の性能を有する。
【００３７】
踏み抜き防止板４０の設置状態については図５、図６及び図７を参照して、図５で示す二点鎖線において第２の保護板４２を折り曲げて、土踏まず保護部４６を図６に示すように立ち上げる。そして図６に示す状態の踏み抜き防止板４０を安全長靴１１に設置する。このようにすると、土踏まず部分の曲面に沿って設置が可能となり、第１の保護板４１では覆えない部分の保護が拡大する。即ち、第２の保護板４２は上述したように１１００Ｎ以上の突き刺し抵抗の性能を有するものであるから、図７の外側の二点鎖線の矢印で示すように、土踏まず部分を含む第１の保護板４１で覆えない範囲における踏み抜きも防止することができる。
【００３８】
尚、上記の各実施の形態では、第１の保護板の上面に第２の保護板が設置されていたが、上下が逆であっても、別に中底を設ければよい。
【００３９】
又、上記の各実施の形態では、第２の保護板はＡＲＭＯＲＴＥＸよりなるものであったが、これに代えて、同等の強度を有するものが好ましいが積層繊維よりなるものであればよい。
【００４０】
更に、上記の各実施の形態では、補強布は足部及び胴部に埋設されていたが、足部又は胴部の少なくとも一部に埋設されていればよい。
【００４１】
更に、上記の第１の実施の形態では、第１の保護板と第２の保護板とは加硫ゴムを介して一体的に接着されていたが、他の方法により一体的に接着されてもよく、単に重ねられているだけでもよい。
【００４２】
更に、上記の各実施の形態では、第２の保護板は靴型とほぼ同一の大きさに設定されており、靴底の大きさ及び曲面に沿わせることができるものであったが、平面視における投影面積が、少なくとも第１の保護板より第２の保護板が大きく設定されていればよい。
【００４３】
更に、上記の各実施の形態では、第１の保護板と第２の保護板との突き刺し抵抗は所定数値に定められていたが、ある程度の突き刺し抵抗を有すればよい。
【符号の説明】
【００４４】
１１…安全長靴
１３…足部
１５…胴部
３０…踏み抜き防止板
３１…第１の保護板
３２…第２の保護板
３３…加硫ゴム
４０…踏み抜き防止板
４１…第１の保護板
４２…第２の保護板
４６…土踏まず保護部
５３…補強布
５４ａ、５４ｂ…アラミド繊維製不織布
６１…外装ゴム
６６…裏布
尚、各図中同一符号は同一又は相当部分を示す。
【図１】
2013143973.tif 000003
【図２】
2013143973.tif 000004
【図３】
2013143973.tif 000005
【図４】
2013143973.tif 000006
【図５】
2013143973.tif 000007
【図６】
2013143973.tif 000008
【図７】
2013143973.tif 000009
【図８】
2013143973.tif 000010
【図９】
2013143973.tif 000011
【図１０】
2013143973.tif 000012
【図１１】
2013143973.tif 000013